(57)【特許請求の範囲】
【請求項１】
収納物を所定温度に保存するための断熱容器と、この断熱容器の後壁外側に区画形成され、吸気口および排気口を有する庫外室と、ペルチェ素子、利用側熱交換面部および熱源側熱交換面部からなり、前記断熱容器内を所定温度に保持可能に前記断熱容器の後壁に配設されたサーモモジュールと、前記庫外室内に庫外空気を循環させるための送風機と、前記サーモモジュールの前記熱源側熱交換面部と熱交換するように配設されるとともに、前記庫外室に導入された前記庫外空気と熱交換するように配設されたヒートシンクと、前記断熱容器内で発生したドレンを受けるように前記断熱容器の下方に配置されたドレンパンとを備えた保存庫において、
前記断熱容器の下面に、正面から見て左右にそれぞれ２個ずつ配置されるように４個の台足を設け、かつ、この４個の台足のそれぞれに段差部を設け、かつ、前記ドレンパンの水平面形状を前部の幅寸法が後部の幅寸法より大きい略Ｔ字型に形成するとともに、正面から見て左右に相対する前記台足の前記段差部が向き合うように前記台足を前記断熱容器の下面にねじ止めして固定し、かつ、この左右の前記台足の前記段差部間の寸法Ｌが前記ドレンパンの前記後部の幅寸法より大きく形成されて、左右の前記台足の前記段差部と前記断熱容器の下面との間に前記ドレンパンの前記後部をスライド式に前方から取り付けできるようにし、さらに、前記ドレンパンの後部を前記庫外室の下方まで後方へ延設し、前記庫外室を循環する庫外空気の一部を前記ドレンパンの前記延設部分から前記ドレンパンの上面に流通させるための通風孔を、前記庫外室の下面部に設けたことを特徴とする保存庫。
【発明の詳細な説明】
【０００１】
【発明の属する技術分野】
この発明は、ペルチェ素子よりなるサーモモジュールにより庫内を保冷または保温して、飲料を冷却保存したり、食品を低温保存したりする保存庫に関する。
【０００２】
【従来の技術】
飲食物等を収納した庫内をサ−モモジュールにより保冷または保温する保存庫としては、例えば、特開平１０−３２５６６４号公報に記載されたものが知られている。この従来装置は、収納物を所定温度に保存するための断熱容器と、この断熱容器の後壁に配設されたサーモモジュールと、このサーモモジュールの庫内側の面（利用側熱交換面部）に取り付けられた吸熱用のヒートシンクと、このサーモモジュールの庫外側の面（熱源側熱交換面部）に取り付けられた排熱用のヒートシンクとを有する。そして、庫内の熱が吸熱用ヒートシンクを介してサーモモジュールによって庫外側の面へ移動し、この移動した熱が放熱用ヒートシンクを介して庫外へ放出されるように、断熱容器の後壁の外側に吸気口、排気口を有するカバー部が取り付けられて冷却空気通路が形成されている。また、上記公報には記載されていないが、一般的には、庫内で発生するドレンを受けるためのドレンパンが断熱容器の下方の床面に直接的に配置されていた。
【０００３】
【発明が解決しようとする課題】
しかしながら、このような保存庫では、据付時壁面に沿わせて据え付けられることが多いが、カバー部の背面が壁面に接近または密着して据え付けられた場合は、吸気口、排気口がカバー部の背面に設けられているため、カバー部内のサーモモジュールを冷却する気流がスムーズに流れず、サーモモジュールの性能が低下するという問題があった。また、このサーモモジュールは、庫内を冷却するために、吸熱用フィンからなる吸熱用ヒートシンクを利用しているため、構造が複雑であり庫内スペースが小さくなるという問題があった。また、ドレンパンが直接床に配置されているため、ドレンパンの位置が固定せず、ドレンパンを所定の位置に固定するのが困難であった。
【０００６】
この発明は、ドレンパンを所定の位置に容易に取り付けられるようにし、ドレンパンに溜まったドレン水を自然蒸発を促進するようにようにした保存庫を提供することを目的とする。
【０００７】
【課題を解決するための手段】
上記目的を達成するために、この発明は、収納物を所定温度に保存するための断熱容器と、この断熱容器の後壁外側に区画形成され、吸気口および排気口を有する庫外室と、ペルチェ素子、利用側熱交換面部および熱源側熱交換面部からなり、前記断熱容器内を所定温度に保持可能に前記断熱容器の後壁に配設されたサーモモジュールと、前記庫外室内に庫外空気を循環させるための送風機と、前記サーモモジュールの前記熱源側熱交換面部と熱交換するように配設されるとともに、前記庫外室に導入された前記庫外空気と熱交換するように配設されたヒートシンクと、前記断熱容器内で発生したドレンを受けるように前記断熱容器の下方に配置されたドレンパンとを備えた保存庫において、前記断熱容器の下面に、正面から見て左右にそれぞれ２個ずつ配置されるように４個の台足を設け、かつ、この４個の台足のそれぞれに段差部を設け、かつ、前記ドレンパンの水平面形状を前部の幅寸法が後部の幅寸法より大きい略Ｔ字型に形成するとともに、正面から見て左右に相対する前記台足の前記段差部が向き合うように前記台足を前記断熱容器の下面にねじ止めして固定し、かつ、この左右の前記台足の前記段差部間の寸法Ｌが前記ドレンパンの前記後部の幅寸法より大きく形成されて、左右の前記台足の前記段差部と前記断熱容器の下面との間に前記ドレンパンの前記後部をスライド式に前方から取り付けできるようにし、さらに、前記ドレンパンの後部を前記庫外室の下方まで後方へ延設し、前記庫外室を循環する庫外空気の一部を前記ドレンパンの前記延設部分から前記ドレンパンの上面部に流通させるための通風孔を、前記庫外室の下面部に設けたことを特徴とする。
【０００８】
【発明の実施の形態】
以下、この発明を具体化した実施の形態を、図１〜図１９に基づいて詳細に説明する。なお、各実施の形態において、同一または共通する部分には、同一の符号を付し、その説明を簡略化する。
【０００９】
実施の形態１．
そこで、先ず実施の形態１について図１〜図１４に基づいて説明する。１は、内箱２、外箱３、内箱２と外箱３との間に介在するように注入された断熱材４を備えた断熱容器である。この内箱２は熱伝導性がよく腐食に強いアルミ系金属板で形成されている。また、外箱３は、プラスチックで形成されており、この実施の形態１においては前部外箱３ａと後部外箱３ｂとに分割されており、図２および図３に示されるように後部外箱３ｂの前端部が絞り部とされて、前部外箱３ａの内側に嵌まり込んで一体に結合されている。また、この断熱容器１の正面部には開放口が設けられており、この開放口に開閉扉５が設けられている。
【００１０】
１０は、ペルチェ素子１０ａ、利用側熱交換面部１０ｂおよび熱源側熱交換面部１０ｃからなるサーモモジュールである。断熱容器１の後壁において、このサーモモジュール１０とほぼ同じ大きさの収納穴が外箱３、断熱材４を貫通し、内箱２を成す金属板を残して形成され、この収納穴内にサーモモジュール１０が配設されている。また、このサーモモジュール１０と、内箱２との間に熱伝導性のよいアルミ系合金の伝熱ブロック１１を介在させ、この伝熱ブロック１１を内箱２にねじ止めにより熱伝導される状態に接合している。また、サーモモジュール１０の利用側熱交換面部１０ｂと内箱２とをこの伝熱ブロック１１を介し伝熱可能に接合している。なお、伝熱ブロック１１は、断熱材４の注入により断熱容器１に一体的に固定されている。この伝熱ブロック１１に対し、サーモモジュール１０は、ねじ等により後面側から脱着自在に固定されている。また、内箱２の内面における伝熱ブロック１１に対応する位置には、この伝熱ブロック１１よりやや大きい凹面を設け、この凹面にポリプロピレンなどの断熱部材よりなる断熱シート２ａが貼り付けられている。なお、この凹面の深さは、断熱シート２ａの厚みに略等しく形成されている。
【００１１】
また、１２は、サーモモジュール１０の熱源側熱交換面部１０ｃと熱伝導的に接合されたヒートシンクである。このヒートシンク１２は、正面から見て右側から左側へ（背面からみて左側から右側へ）、横方向に庫外空気を流通させて熱交換させるように、多数のアルミフィン１２ａが横方向に配置されて構成されている。また、１３はこのヒートシンク１２を覆う風路形成板、１４はこの風路形成板１３のみならず断熱容器１の背面全体をカバーし、断熱容器１の後壁外側に庫外室を形成する背面カバーである。従って、この背面カバー１４は、前面を開放した略箱型に形成されている。背面カバー１４の左右側面部１４ａ，１４ｂの後方角部は、後方に向かうにしたがって左右方向の中心側に傾斜する傾斜面部とされ、同様に背面カバー１４の上下面部１４ｃ、１４ｄにおける後方角部も上下方向の中心側に傾斜する傾斜面部とされている。そして、この背面カバー１４の正面から見て右側面部１４ａにおける傾斜面部には吸気口１５が、また、正面から見て左側面部１４ｂにおける傾斜面部には排気口１６がそれぞれ形成されている。また、背面カバー１４の下面部１４ｄにおける傾斜面部の正面から見て右半分には吸気口１５の補助吸気口１５ａが、また、正面から見て左半分には排気口１６の補助排気口１６ａが形成されている。
【００１２】
前記風路形成板１３は、上下面部１３ｃ，１３ｄが水平面に形成され、正面から見て右側面部１３ａは背面カバー１４の右側面部１４ａの傾斜面部と略平行な傾斜面部とされている。この右側面部１３ａにおいて背面カバー１４側には、背面カバー１４の右側面部と対向するように、２台の軸流送風機２０が上下に間隔を置いて取り付けられている。なお、この右側面部１３ａの傾斜面部には軸流送風機２０のファンガイド用穴が２個設けられ、このガイド用穴を通して庫外空気が風路形成板１３内を右方向から左方向に流通するように軸流送風機２０が２個取り付けられている。風路形成板１３の左側面部１３ｂは、後方に曲折され、その先端が背面カバー１４の左側面部１４ｂの後端部に接触するまで延設されている。また、風路形成板１３の背面部１３ｅにおける背面側には、この保存庫の制御回路構成機器を配設したコントロール基板３１が取り付けられている。さらに、この風路形成板１３の背面部１３ｅにおけるコントロール基板３１の左右および上下を封鎖するように背面カバー１４から、左右立ち上げ片１４ｅ、１４ｆおよび上下立ち上げ片１４ｇ、１４ｈが立設され、これによりコントロール基板３１の収納部が形成されている。
【００１３】
また、風路形成板１３の上部であって断熱容器１の背面には保存庫の電源回路構成機器を配設した電源基板３２が取り付けられている。また、背面カバー１４の上面部１４ｃにおける傾斜面部に平行な面部と背面カバー１４の背面に平行な面部とから形成される保護カバー３３が取り付けられ、この保護カバー３３と断熱容器１の背面と風路形成板１３の上面部１３ｃとにより、この電源基板３２の収納室が形成されている。そして、風路形成板１３の上面部１３ｃには複数個の穴からなる連通孔１７が設けられ、風路形成板１３内を流通する庫外空気の一部を電源基板３２の収納室内に導入している。
また、断熱容器１の底壁には、内箱２の内面に形成されたドレン水を、断熱容器１の下方に配設された皿状のドレンパン４１に導くための排水口４２が設けられている。
【００１４】
図７に示されるように、断熱容器１の底面において、５０は台足である。この台足５０は、前後２箇所に左右対称的に、即ち、計４箇所に配置されている。この台足５０は、それぞれが上部品５２と、ねじ５３を備えた下部品５１とから構成されている。また、台足５０は、上部品５２を断熱容器１との間に挟んだ状態にして下部品５１を断熱容器１の底壁にねじ止めして固定している。また、上部品５２には、ドレンパン４１の高さ寸法より少し大きい程度の段差Ｈを有する段差部５４が形成されている。そして、この左右の台足５０の段差部５４が向き合うように配置されている。
【００１５】
ドレンパン４１は、水平面形状が略Ｔ字型を成し、前部の幅寸法を後部の幅寸法より大きくして、ドレン収容量を多くできるようにしている。また、左右台足５０の段差部５４間の寸法Ｌが、ドレンパン４１の後部幅寸法より若干大きく形成されている。このように構成されていることにより、ドレンパン４１は、その後部が台足５０の段差部５４と断熱容器１の底面との間に出し入れ自在にスライド式に挿入されて、取り付けられている。また、ドレンパン４１を、その前部の後縁が前方の台足５０に当接する位置までスライドさせて挿入することにより、ドレンパン４１が所定位置に配置されるように形成されている。このときドレンパン４１の後端部は断熱容器１の後縁よりも後方へ延出される。また、このドレンパン４１のこの延出部の上方に位置する背面カバー１４の下面部における水平部分には通風孔１８が形成され、背面カバー１４内を流通する庫外空気の一部空気がドレンパン４１内を流通するように形成されている。
【００１６】
断熱容器１正面の開閉扉５は、断熱容器１の正面寸法にほぼ合わされた正面寸法を有し、内部に中空空間部を備えた外板５ａと、この外板５ａの中空内部に断熱材５ｃを注入したものであって、断熱性能を備えた開閉扉５である。この開閉扉５は、右上部の上部ヒンジ６０、右下部の下部ヒンジ７０により正面から見て右開きに開閉自在に軸支されている（図１、図９〜図１４参照）。また、開閉扉５の左端部分と対面する外箱３の左端前部には磁石等の係止機構が設けられ、この開閉扉５を閉鎖状態に保持可能としている。また、図１および図２に示すように、８０は、意匠性を加味して開閉扉５のほぼ中央に上下に長く設けた操作パネルで、開閉扉５の内部に配設された保存庫の制御回路構成機器を配設した操作基板８１に対応する部分に、庫内温度を設定、表示する操作部８２が形成されている。
【００１７】
上部ヒンジ６０の取り付け部の詳細は、図９〜図１１に示されるが、上部本体側ヒンジ６１等が開閉扉５および断熱容器１の側方または上下にはみ出さないように構成されている。上部本体側ヒンジ６１はプラスチック材よりなり、断熱容器１に図示しないねじにより固定されている。また、本体側ヒンジ６１の軸支部には軸支穴６２が設けられている。６３はプラスチック製の軸支ピンで、この図９では開閉扉５から外された状態で示されているが、実際には開閉扉５側に固定され、軸支穴６２に回転自在に軸支されている。また、６４は開閉扉５の角部に設けられた切り欠きであって、これにより、図１１のように所定角度まで開閉扉５を開いたときに、本体側ヒンジ６１が開閉扉５に当たるのを避けている。また、切り欠き６４は、開閉扉５の側部の途中までとして、開閉扉５の前方や右側方から見ても外観の見栄えが損なわれることのないように配慮されている。
【００１８】
下部ヒンジ７０の取り付け部の詳細は、図１２〜図１４に示されるが、下部本体側ヒンジ７１は金属部材よりなり、強度を増すために、この実施の形態では鉄板を絞って下方に開く断面コの字型に形成されている。また、この下部本体側ヒンジ７１の先端には開閉扉５の下面を支持する貫通孔７３を備えた軸支ピン７２を備えている。また、下部ヒンジ７０の断熱容器１への取り付け部分は、側方から見えないように下方に開放した凹部７４として形成されており、下部ヒンジ７０が断熱容器１に対し下方からねじ止めされ固定されている。また、図１４に示すように、開閉扉５の角部には、開閉扉５が所定の角度まで開くように、前面壁を残して切り欠き７５が形成されている。そして、開閉扉５を開放したときに操作パネル８０への電線８５の捩じれが少なくなるように、本体側ヒンジ７１の断面コの字型の内部および軸支ピン７２の貫通孔７３を通して電線８５を断熱容器１側から開閉扉５側へ渡している。
【００１９】
次に、上記のように構成された保存庫の作用について説明する。操作者が操作部８２で庫内設定温度（例えば、０〜５０℃の任意の温度）を選択して、保存庫を運転する。このとき、庫外空気温度、収納物の温度および庫内設定温度との関係により、サーモモジュール１０への直流電流の印加方向が選択され、サーモモジュール１０の利用側熱交換面部１０ｂで吸熱作用あるいは放熱作用が行われるとともに、軸流送風機２０が運転され、庫外空気が吸気口１５および補助吸気口１５ａから吸入され風路形成板１３内を流通し、排気口１６および補助排気口１６ａから排出される。これにより断熱容器１内では、伝熱ブロック１１を介して断熱容器１の内箱２が冷却あるいは加熱され、断熱容器１内が所定温度にコントロールされる。また、サーモモジュール１０の熱源側熱交換面部１０ｃでは、放熱あるいは吸熱がヒートシンク１２を介し風路形成板１３内を流通する庫外空気との間で行われ、断熱容器１内で吸熱あるいは放熱された熱量分が庫外空気に対し放熱あるいは吸熱される。
【００２０】
また、庫内設定温度が低い場合には、断熱容器１内が内箱２の表面から冷却されることにより、内箱２表面に結露したドレン水が内箱２底表面に落下して、排水口４２からドレンパン４１に排水される。そして、このドレンパン４１内に貯留されたドレン水は、背面カバー１４の下面部に形成された通風孔１８から流出する庫外空気による自然蒸発が促進される。また、保存庫の運転中、風路形成板１３内を流れる庫外空気の一部が、風路形成板１３の上面部１３ｃに形成された連通孔１７から電源基板３２の収納室内に導入され、電源基板３２が冷却され、電源基板３２の過熱が防止されている。
【００２１】
実施の形態１は上記のように構成されているので、保存庫の背面、あるいは、保存庫の背面および左右側面の３方が建築物の壁面に接近あるいは接触していても、背面カバー１４の左右側面部１４ａ、１４ｂにおける後方角部が内側に傾斜した傾斜面部として形成され、この傾斜面部に吸気口１５および排気口１６が形成されているので、背面カバー１４の後方角部のスペースにより吸気口および排気口１６が塞がれない。また、背面カバー１４の上下面部１４ｃ、１４ｄの後方角部に傾斜面部が設けられているため、この傾斜面部に沿って吸気口１５および排気口１６に連通する空気通路が確保される。これにより、風路形成板１３内での庫外空気の流通がスムーズに行われる。
なお、庫外空気の流れをスムーズに行わせるためには、吸気口または排気口を背面カバー１４の上面部に設けることも考えられるが、この場合には、ごみが入りやすいという欠点がある。また、保存庫では、所要床面積を少なくしたいというニーズがあるため、左右方向寸法を小さくし高さ方向寸法を大きくしても市場に受け入れられ易いという傾向がある。従って、吸気口および排気口を左右側面部１４ａ，１４ｂに吸気口、排気口を設ける方が、これら吸気口、排気口の寸法を大きくとることができる利点がある。
また、庫外室内において庫外空気を流通させるための送風機として２台の軸流送風機２０を用い、この２台の軸流送風機２０を背面カバー１４の右側面部１４ａと対向するように設けているので、保存庫の奥行き寸法がコンパクトになる。
【００２２】
また、背面カバー１４の左右側面部１４ａ、１４ｂの後方角部を傾斜させたこと、および、背面カバー１４の上下面部１４ｃ、１４ｄの後方角部を傾斜させたことにより、保存庫の奥行き寸法を小さく感じさせる意匠上の効果が発揮される。
また、上下面部１４ｃ、１４ｄの傾斜面部に沿って吸気口１５および排気口１６への空気通路が確保され、庫外室内における庫外空気の流通がより一層スムーズに行われる。さらに、背面カバー１４の下面部１４ｄに置ける傾斜面部に補助吸気口１５ａおよび補助排気口１６ａが設けられているので、庫外室内における庫外空気の流通がさらに一層スムーズに行われる。
【００２３】
また、サーモモジュール１０の利用側熱交換面部１０ｂを伝熱ブロック１１を介して、アルミ系金属製の内箱２に伝熱可能に取り付け、断熱容器１内を冷却あるいは加熱するようにしているので、構成が簡略化されるとともに、断熱容器１内の有効収納スペースが拡大する。また、伝熱ブロック１１に対応する内箱２の内面部分に凹面を形成し、この部分に断熱シート２ａを貼り付けているので、断熱シート２ａの保温効果により、この部分の結露が防止され、また、この部分近くの収納物が局部的に過冷却あるいは加熱されることがない。また、断熱シート２ａは凹面部分に貼り付けられるので、貼付作業時において断熱シート２ａの貼付位置の確認作業が容易となる。
【００２４】
また、電源回路構成機器を配設した電源基板３２の収納室には、庫外室内を流通する庫外空気の一部を流通させているので、電源基板３２は常時冷却されており、過熱する恐れがない。また、この電源基板３２は、風路形成板１３の上面部１３ｃの上方に配置されているため、風路形成板１３の下方部分に配置される場合に比しごみ等の異物の溜まりが少なくなり、電源基板３２の信頼性が向上する。
【００２５】
また、背面カバー１４から立ち上げ片１４ｅ，１４ｆ，１４ｇ，１４ｈを立設し、風路形成板１３の背面部１３ｅに取り付けられたコントロール基板３１の収納室を形成しているので、コントロール基板３１をごみ等の異物から保護し、コントロール基板の信頼性が向上する。また、この立ち上げ片１４ｅ，１４ｆ，１４ｇ，１４ｈは、背面カバー１４の強度を向上させる機能を有し、さらには、吸気口１５，１５ａから吸入した庫外空気をスムーズに風路形成板１３内にガイドする機能を有する。また、背面カバー１４を外すことにより、コントロール基板３１のメンテナンスが容易に行える。
【００２６】
また、ドレンパン４１は、スライド式に取り付けられているので、清掃等のための取り外しが容易となる。また、背面カバー１４の下面部１４ｄに設けられた通風孔１８から、庫外室内を流通する庫外空気の一部をドレンパン４１内に流し込むので、ドレン水がこの庫外空気で積極的に蒸発される。従って、ドレンパン４１からドレン水が益水するようなことがない。
また、上部ヒンジ６０および下部ヒンジ７０が左右上下にはみ出していないため前方から見て外観が意匠的に阻害されることがない。
【００２７】
実施の形態２．
この実施の形態２は、図１５に示すように、背面カバー１４の左右側面部１４ａ、１４ｂの後方角部に傾斜面部を設けずに、断熱容器１の左右側面部と同じ方向に真っ直ぐ後方に延ばし、このように形成された左右側面部１４ａ、１４ｂに吸気口１５および排気口１６を設けたものである。このように構成しても、吸気口１５および排気口１６が背面カバー１４の左右側面部に形成されている以上、保存庫の背面に壁面が接近した状態で設置されても、風路形成板１３内の庫外空気流がスムーズに行われる。
【００２８】
実施の形態３．
この実施の形態３は、図１６に示すように、背面カバー１４の左右側面部１４ａ、１４ｂを実施の形態２と同様に後方へ真っ直ぐ延ばすとともに、風路形成板１３の右側面部１３ａについても、一旦背面カバー１４まで傾斜して延ばし、さらに、この背面カバー１４の内面の位置で前方へ真っ直ぐに折返し、このように形成された右側面部１３ａに軸流送風機２０を取り付けている。このようにすると、軸流送風機２０が傾斜して取り付けられていないことから、背面カバー１４の奥行き寸法が増すが、前記実施の形態１および２と同様に、保存庫の背面に壁面が接近した状態で設置されても、風路形成板１３内の庫外空気流がスムーズに行われる。
【００２９】
実施の形態４．
この実施の形態４は、前記各実施の形態のように、サーモモジュール１０の利用側熱交換面部１０ｂでの吸熱あるいは放熱を、固体の伝熱ブロック１１を介し内箱２に熱伝導して内箱２を通じて断熱容器１内を冷却あるいは加熱するのではなく、図１７に示すように、熱媒体パイプ９０内を循環する水等の流体熱媒体を介し、断熱容器１内を冷却あるいは加熱するものである。熱媒体パイプ９０には、サーモモジュール１０の利用側熱交換面部１０ｂと熱交換する熱交換器９１が接続されている。そして、この熱交換器９１を介し熱媒体パイプ９０内を循環する水等の熱媒体が冷却あるいは加熱される。また、熱媒体パイプ９０は内箱２の外側に添設して配設されており、この熱媒体パイプ９０を循環する熱媒体を通じ内箱２の広い範囲が冷却あるいは加熱され、断熱容器１内が冷却あるいは加熱される。なお、９２は、熱媒体循環ポンプである。従って、この場合には構成部品が増加するが、内箱２を均一に冷却し、断熱容器１内の温度分布を良好にすることができる。
【００３０】
次に、上記実施の形態に関する変形例を記す。
（１）  保存庫は、冷蔵専用であってもよく、また、温蔵専用であってもよい。
（２）  サーモモジュール１０は、収納物の冷却負荷との関係で個数を決めれば良く、１個にしてもよいし、また、３個以上としてもよい。
（３）  実施の形態１〜３においてサーモモジュール１０の利用側熱交換面部１０ｂは、内箱２と直接的に熱交換させるようにしてもよい。
【００３１】
（４）  サーモモジュール１０を冷却専用、つまり、利用側熱交換面部１０ｂにおいて吸熱のみ行わせるように利用し、一方、専用の加熱ヒータを設け、加熱が必要な場合にこの加熱ヒータにより断熱容器１内を加熱させるごとくしても良い。
（５）  サーモモジュール１０の熱源側熱交換面部１０ｃとヒートシンク１２とを直接的に熱交換させずに水等の流体熱媒体を介し間接的に熱交換させてもよい。この場合部品点数が増加するが、他の効果は各実施の形態と同じである。
（６）  実施の形態１〜３において、サーモモジュール１０の利用側熱交換面部１０ｂを、伝熱ブロック１１を介さず直接内箱２に接触させて熱伝導させてもよい。この場合、サーモモジュール１０の交換は行い難くなるが、部品点数が少なくなる、また、他の効果は実施の形態１〜３と同様となる。
【００３２】
（７）  外箱３は、図１８に示すように、前部と後部とに分割せずに一体型としてもよい。
（８）  台足５０は、図１９に示すように分割型とせずに一体型としてもよい。
【００３３】
（９）  風路形成板１３内の庫外空気流は、上記各実施の形態とは逆に正面から見て左側から右側に流れるように形成してもよい。また、軸流送風機２０に代えて他の送風機、例えば遠心型送風機を用いるようにしてもよい。
（１０）  開閉扉５は、軸支部を正面から見て左側として、左開きとしてもよい。
【００３４】
（１１）  台足５０の段差部５４を利用したドレンパン４１の取り付け構造は、通常の圧縮機を構成部品とする冷凍サイクルを用いた冷蔵庫等に応用してもよい。
【００３５】
【発明の効果】
本発明は、以上のように構成されているため、次のような効果を奏する。
本発明は、収納物を所定温度に保存するための断熱容器と、この断熱容器の後壁外側に区画形成され、吸気口および排気口を有する庫外室と、ペルチェ素子、利用側熱交換面部および熱源側熱交換面部からなり、前記断熱容器内を所定温度に保持可能に前記断熱容器の後壁に配設されたサーモモジュールと、前記庫外室内に庫外空気を循環させるための送風機と、前記サーモモジュールの前記熱源側熱交換面部と熱交換するように配設されるとともに、前記庫外室に導入された前記庫外空気と熱交換するように配設されたヒートシンクと、前記断熱容器内で発生したドレンを受けるように前記断熱容器の下方に配置されたドレンパンとを備えた保存庫において、前記断熱容器の下面に、正面から見て左右にそれぞれ２個ずつ配置されるように４個の台足を設け、かつ、この４個の台足のそれぞれに段差部を設け、かつ、前記ドレンパンの水平面形状を前部の幅寸法が後部の幅寸法より大きい略Ｔ字型に形成するとともに、正面から見て左右に相対する前記台足の前記段差部が向き合うように前記台足を前記断熱容器の下面にねじ止めして固定し、かつ、この左右の前記台足の前記段差部間の寸法Ｌが前記ドレンパンの前記後部の幅寸法より大きく形成されて、左右の前記台足の前記段差部と前記断熱容器の下面との間に前記ドレンパンの前記後部をスライド式に前方から取り付けできるようにし、さらに、前記ドレンパンの後部を前記庫外室の下方まで後方へ延設し、前記庫外室を循環する庫外空気の一部を前記ドレンパンの前記延設部分から前記ドレンパンの上面部に流通させるための通風孔を、前記庫外室の下面部に設けたので、簡易な構成でありながらドレンパンの出し入れが容易となり、ドレンパンのドレン収容量を多くでき、さらに、ドレンパン内のドレン水を蒸発させることができ、ドレン水を廃棄するための手間を省略することができる。
【図面の簡単な説明】
【図１】  この発明の実施の形態１に係る保存庫の前方からの外観斜視図である。
【図２】  図１におけるII−II線断面図である。
【図３】  図２におけるIII−III線断面図である。
【図４】  この発明の実施の形態１に係る保存庫の背面図である。
【図５】  この発明の実施の形態１に係る保存庫を、背面カバーと保護カバーとを外して後方から見た斜視図である。
【図６】  この発明の実施の形態１に係る保存庫の分解斜視図である。
【図７】  図２におけるVII−VII線断面図である。
【図８】  この発明の実施の形態１に係る保存庫の台足の説明図である。
【図９】  図１におけるＡ部の、一部を分解した状態の斜視図である。
【図１０】  図１におけるＸ−Ｘ断面図である。
【図１１】  開閉扉を開いた状態とした図１０に相当する断面図である。
【図１２】  図１におけるＢ部の、一部を断面図として表した側面図である。
【図１３】  図１２に使用される下部本体側ヒンジの斜視図である。
【図１４】  図１におけるＢ部を、開閉扉が開いた状態として、下方から見た図面である。
【図１５】  この発明の実施の形態２に係る保存庫の背面カバー部分の図３に相当する断面図である。
【図１６】  この発明の実施の形態３に係る保存庫の背面カバー部分の図３に相当する断面図である。
【図１７】  この発明の実施の形態４に係る保存庫の図２に相当する断面図である。
【図１８】  この発明の各実施の形態に係る保存庫の外箱の変形例を示す図面である。
【図１９】  この発明の実施の形態１に係る保存庫の台足の変形例を示す図面である。
【符号の説明】
１  断熱容器、２  内箱、２ａ  断熱シート、３  外箱、１０  サーモモジュール、１０ａ  ペルチェ素子、１０ｂ  利用側熱交換面部、１０ｃ  熱源側熱交換面部、１１  伝熱ブロック、１２  ヒートシンク、１４  背面カバー、１５  吸気口、１６  排気口、１７  連通孔、１８  通風孔、２０  軸流送風機、３１コントロール基板、３２  電源基板、３３  保護カバー、４１  ドレンパン、５０  台足、５４  段差部。
【図１】
0004202820.tif 000002
【図２】
0004202820.tif 000003
【図３】
0004202820.tif 000004
【図４】
0004202820.tif 000005
【図５】
0004202820.tif 000006
【図６】
0004202820.tif 000007
【図７】
0004202820.tif 000008
【図８】
0004202820.tif 000009
【図９】
0004202820.tif 000010
【図１０】
0004202820.tif 000011
【図１１】
0004202820.tif 000012
【図１２】
0004202820.tif 000013
【図１３】
0004202820.tif 000014
【図１４】
0004202820.tif 000015
【図１５】
0004202820.tif 000016
【図１６】
0004202820.tif 000017
【図１７】
0004202820.tif 000018
【図１８】
0004202820.tif 000019
【図１９】
0004202820.tif 000020